【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
画像データに基づく印刷を行う印刷装置であって、
前記画像データが記憶されている記憶媒体から該画像データを読み出す画像読出部と、
前記画像読出部によって読み出された画像データのインデックス画像を用いて該画像データに基づく画像を印刷するための情報の記入をユーザから受け付けるオーダシートを印刷する制御を行うオーダシート印刷制御部と、
前記オーダシートをスキャンすることによって、前記オーダシートに記入された記入情報を認識するスキャン認識部と、
前記スキャン認識部によって認識された記入情報に基づいて、前記画像をトリミングしたトリミング画像を印刷する制御を行うトリミング印刷制御部と
を備える印刷装置。
【請求項２】
請求項１に記載の印刷装置であって、
前記スキャン認識部は、前記オーダシートをスキャンすることによって、前記インデックス画像上に記入された枠線を前記記入情報として認識し、
前記トリミング印刷制御部は、前記スキャン認識部によって認識された前記インデックス画像の枠線の外側に対応する部位を前記画像からトリミングした画像を前記トリミング画像として印刷する制御を行う、印刷装置。
【請求項３】
請求項１に記載の印刷装置であって、
前記スキャン認識部は、前記オーダシートをスキャンすることによって、前記インデックス画像上で塗り潰された領域を前記記入情報として認識し、
前記トリミング印刷制御部は、前記スキャン認識部によって認識された前記インデックス画像の塗り潰された領域に対応する部位を前記画像からトリミングした画像を前記トリミング画像として印刷する制御を行う、印刷装置。
【請求項４】
請求項１に記載の印刷装置であって、
前記オーダシート印刷制御部は、格子状の格子線が前記インデックス画像上に描画されるように、前記オーダシートを印刷する制御を行い、
前記スキャン認識部は、前記オーダシートをスキャンすることによって、前記格子線に沿って記入された線分を前記記入情報として認識し、
前記トリミング印刷制御部は、前記スキャン認識部によって認識された前記インデックス画像の線分によって示される矩形の外側に対応する部位を前記画像からトリミングした画像を前記トリミング画像として印刷する制御を行う、印刷装置。
【請求項５】
前記オーダシート印刷制御部は、前記格子線によって囲まれる矩形のアスペクト比が、前記印刷されるトリミング画像のアスペクト比と同じになるように、前記オーダシートを印刷する制御を行う請求項４に記載の印刷装置。
【請求項６】
前記オーダシート印刷制御部は、前記インデックス画像の明るさおよび彩度の少なくとも一方を前記スキャン認識部の認識精度に応じて調整して、前記オーダシートを印刷する制御を行う請求項２ないし請求項４のいずれか一項に記載の印刷装置。
【請求項７】
前記オーダシート印刷制御部は、前記インデックス画像を構成する印刷ドットを間引いて、前記オーダシートを印刷する制御を行う請求項２ないし請求項４のいずれか一項に記載の印刷装置。
【請求項８】
前記スキャン認識部は、前記印刷される際のオーダシートと、前記スキャンされる際のオーダシートとの間における色差分に基づいて、前記記入情報を認識する請求項１ないし請求項７のいずれか一項に記載の印刷装置。
【請求項９】
前記スキャン認識部は、前記スキャンされる際のオーダシートに記入された特定色に基づいて、前記記入情報を認識する請求項１ないし請求項７のいずれか一項に記載の印刷装置。
【請求項１０】
前記トリミング印刷制御部は、前記トリミング画像の印刷に先立って、前記トリミング画像をディスプレイに表示して、前記トリミング画像の修正を前記ユーザから受け付ける請求項１ないし請求項９のいずれか一項に記載の印刷装置。
【請求項１１】
画像データに基づく印刷を行う印刷方法であって、
前記画像データが記憶されている記憶媒体から該画像データを読み出し、
前記記憶媒体から読み出された画像データのインデックス画像を用いて該画像データに基づく画像を印刷するための情報の記入をユーザから受け付けるオーダシートを印刷し、
前記オーダシートをスキャンすることによって、前記オーダシートに記入された記入情報を認識し、
前記オーダシートから認識された記入情報に基づいて、前記画像をトリミングしたトリミング画像を印刷する、印刷方法。
【請求項１２】
画像データに基づく印刷を行う機能をコンピュータに実現させるためのプログラムであって、
前記コンピュータが、前記画像データが記憶されている記憶媒体から該画像データを読み出す機能と、
前記コンピュータが、前記記憶媒体から読み出された画像データのインデックス画像を用いて該画像データに基づく画像を印刷するための情報の記入をユーザから受け付けるオーダシートを印刷する制御を行う機能と、
前記コンピュータが、前記オーダシートをスキャンすることによって、前記オーダシートに記入されている記入情報を認識する機能と、
前記コンピュータが、前記オーダシートから認識された記入情報に基づいて、前記画像をトリミングしたトリミング画像を印刷する制御を行う機能と
を実現させるためのプログラム。
【手続補正２】
【補正対象書類名】明細書
【補正対象項目名】０００６
【補正方法】変更
【補正の内容】
【０００６】
上記した課題を解決するため、本発明の印刷装置は、画像データに基づく印刷を行う印刷装置であって、前記画像データが記憶されている記憶媒体から該画像データを読み出す画像読出部と、前記画像読出部によって読み出された画像データのインデックス画像を用いて該画像データに基づく画像を印刷するための情報の記入をユーザから受け付けるオーダシートを印刷する制御を行うオーダシート印刷制御部と、前記オーダシートをスキャンすることによって、前記オーダシートに記入された記入情報を認識するスキャン認識部と、前記スキャン認識部によって認識された記入情報に基づいて、前記画像をトリミングしたトリミング画像を印刷する制御を行うトリミング印刷制御部とを備えることを特徴とする。これによって、印刷装置は、印刷される画像に対するトリミング処理に関するユーザからの要求を、オーダシートを利用して受け付けることができる。したがって、オーダシートを利用した画像印刷の利便性を向上させることができる。
【手続補正３】
【補正対象書類名】明細書
【補正対象項目名】０００７
【補正方法】変更
【補正の内容】
【０００７】
前述の印刷装置は、以下の形態を採ることもできる。
【手続補正４】
【補正対象書類名】明細書
【補正対象項目名】０００８
【補正方法】変更
【補正の内容】
【０００８】
例えば、前記スキャン認識部は、前記オーダシートをスキャンすることによって、前記インデックス画像上に記入された枠線を前記記入情報として認識し、前記トリミング印刷制御部は、前記スキャン認識部によって認識された前記インデックス画像の枠線の外側に対応する部位を前記画像からトリミングした画像を前記トリミング画像として印刷する制御を行うとしても良い。これによって、ユーザは、トリミング画像として残される画像上の部位を枠線によって直感的に指定することができる。
【手続補正５】
【補正対象書類名】明細書
【補正対象項目名】０００９
【補正方法】変更
【補正の内容】
【０００９】
また、前記スキャン認識部は、前記オーダシートをスキャンすることによって、前記インデックス画像上で塗り潰された領域を前記記入情報として認識し、前記トリミング印刷制御部は、前記スキャン認識部によって認識された前記インデックス画像の塗り潰された領域に対応する部位を前記画像からトリミングした画像を前記トリミング画像として印刷する制御を行うとしても良い。これによって、ユーザは、トリミングによって除去される画像上の部位を直感的に指定することができる。
【手続補正６】
【補正対象書類名】明細書
【補正対象項目名】００１０
【補正方法】変更
【補正の内容】
【００１０】
また、前記オーダシート印刷制御部は、格子状の格子線が前記インデックス画像上に描画されるように、前記オーダシートを印刷する制御を行い、前記スキャン認識部は、前記オーダシートをスキャンすることによって、前記格子線に沿って記入された線分を前記記入情報として認識し、前記トリミング印刷制御部は、前記スキャン認識部によって認識された前記インデックス画像の線分によって示される矩形の外側に対応する部位を前記画像からトリミングした画像を前記トリミング画像として印刷する制御を行うとしても良い。これによって、ユーザは、トリミング画像として残される画像上の部位を正確に指定することができる。また、この形態の場合には、前記オーダシート印刷制御部は、前記格子線によって囲まれる矩形のアスペクト比が、前記印刷されるトリミング画像のアスペクト比と同じになるように、前記オーダシートを印刷する制御を行っても良い。これによって、横および縦で矩形の個数を同数に揃えることによって（例えば、「（横の個数）×（縦の個数）」を、「２×２」、「３×３」のように「ｎ×ｎ（ｎは自然数）」とする。）、印刷されるトリミング画像のアスペクト比を適切な値に維持することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
また、前記オーダシート印刷制御部は、前記インデックス画像の明るさおよび彩度の少なくとも一方を前記スキャン認識部の認識精度に応じて調整して、前記オーダシートを印刷する制御を行っても良い。これによって、オーダシートをスキャンして記入情報を認識する際に、インデックス画像上の記入情報を認識し易くすることができる。
【手続補正１１】
【補正対象書類名】明細書
【補正対象項目名】００１５
【補正方法】変更
【補正の内容】
【００１５】
また、前記オーダシート印刷制御部は、前記インデックス画像を構成する印刷ドットを間引いて、前記オーダシートを印刷する制御を行っても良い。これによって、オーダシートをスキャンして記入情報を認識する際に、インデックス画像上の記入情報を認識し易くすることができる。なお、印刷ドットを間引く処理は、印刷ドットが間引かれたインデックス画像用の画像データを生成して実現しても良いし、インデックス画像を印刷する際に印刷インクの吐出を制御することによって実現しても良い。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２０
【補正方法】変更
【補正の内容】
【００２０】
また、前記トリミング印刷制御部は、前記トリミング画像の印刷に先立って、前記トリミング画像をディスプレイに表示して、前記トリミング画像の修正を前記ユーザから受け付けても良い。これによって、ユーザは、トリミング調整をより詳細に指定することができる。